(57)【要約】【課題】  録画された映像の中から希望するシーンを検索して視聴可能な技術を低価格、低負荷で提供する。【解決手段】  映像放送を行う放送局１１、映像放送を受信するアンテナ１２及び録画した映像放送を蓄積するＨＤＤ１４を備える映像蓄積再生端末１３を複数の映像放送チャンネルを同時に受信可能なアンテナ１６及び映像放送から取得する映像情報に対して文字認識を行って作成した検索可能なインデックスを蓄積する文字認識結果ＤＢ１７を備える映像用インデックス作成検索システム１８に接続する。そして、映像蓄積再生端末１３に番組内容に関する情報、例えば、出演している俳優名等を含む検索条件を入力し、この検索条件により映像用インデックス作成検索システム１８に対して検索を行い、検索結果を得る。そして取得した検索結果データ基づいて映像放送番組に関する映像用インデックスを作成し、このインデックスを引いて映像放送番組内の所望のシーンを頭出する。【選択図】  図１
2006340136.tif 000002
【特許請求の範囲】
【請求項１】
録画した放送番組を頭出し再生可能な映像蓄積再生端末における映像再生方法であって、
放送番組を受信して文字認識を行い該放送番組のインデックス情報を蓄積する映像用インデックス作成検索システムに、検索条件を含む検索要求を送信することで該検索条件に対応するインデックス情報を該映像用インデックス作成検索システムから受信し、
録画した放送番組の録画番組特定情報により前記インデックス情報にマスク処理を行い、該マスク処理後のデータに基づいて録画した放送番組のインデックス情報を作成して出力し、該インデックス情報に対する選択情報を入力して該選択情報に基づいて該録画した放送番組の再生シーンを特定し、該シーンから該録画した放送番組の頭出し再生を行うことを特徴とする映像再生方法。
【請求項２】
録画した放送番組を頭出し再生可能な映像蓄積再生端末における映像再生方法であって、
録画手段が放送番組を第１の記憶手段に録画する録画ステップと、
前記録画した放送番組の録画番組特定情報を蓄積済み番組情報蓄積手段が第２の記憶手段に蓄積する蓄積済み番組情報蓄積ステップと、
検索条件を入力手段が入力する検索条件入力ステップと、
前記放送番組のインデックス情報を保存する映像用インデックス作成検索システムに前記検索条件を含む検索要求情報を通信手段が送信する検索要求ステップと、
前記映像用インデックス作成検索システムから前記検索条件に該当するインデックス情報を含む検索結果を前記通信手段が受信する検索結果受信ステップと、
インデックス比較手段が前記録画番組特定情報をマスク情報として前記検索結果にマスク処理を行うインデックス情報比較ステップと、
出力情報作成手段が前記マスク処理後のデータに基づいてインデックスを作成して出力するインデックス出力ステップと、
インデックス選択情報を前記入力手段が入力するインデックス選択情報入力ステップと、
再生手段が、前記インデックス選択情報に基づいて録画した放送番組の再生シーンを特定し、該シーンから頭出し再生を行う再生ステップと、を有することを特徴とする映像再生方法。
【請求項３】
録画した放送番組を頭出し再生可能な映像蓄積再生端末における映像再生方法であって、
録画手段が放送番組を第１の記憶手段に録画する録画ステップと、
前記録画した放送番組の録画開始時刻、録画終了時刻若しくは録画時間、録画チャンネル識別情報、並びに蓄積番組特定情報を蓄積済み番組情報蓄積手段が第２の記憶手段に蓄積する蓄積済み番組情報蓄積ステップと、
検索条件を入力手段が入力する検索条件入力ステップと、
前記放送番組について文字認識を行い該文字認識の結果を出現文字情報、出現日時情報、及び出現チャンネル情報を含むインデックス情報として第３の記憶手段に保存する映像用インデックス作成検索システムに前記検索条件を含む検索要求情報を通信手段が送信する検索要求ステップと、
前記映像用インデックス作成検索システムから前記検索条件に該当する出現文字情報、出現日時情報、及び出現チャンネル情報を含む検索結果を前記通信手段が受信する検索結果受信ステップと、
インデックス情報比較手段が前記第２の記憶手段に蓄積する情報をマスク情報として前記検索結果にマスク処理を行うインデックス情報比較ステップと、
出力情報作成手段が前記マスク処理後のデータに基づいてインデックスを作成して出力するインデックス出力ステップと、
インデックス選択情報を前記入力手段が入力するインデックス選択情報入力ステップと、
蓄積済み番組検索手段が前記第２の記憶手段を検索して前記インデックス選択情報に対応する蓄積番組特定情報を取得する蓄積番組特定情報取得ステップと、
放送番組検索手段が前記第１の記憶手段を検索して前記蓄積番組特定情報に対応する放送番組を取得する放送番組取得ステップと、
再生手段が前記インデックス選択情報に対応する出現日時情報に基づいて前記放送番組中の再生シーンを決定し、該再生シーンから頭出し再生を行う再生ステップと、を有することを特徴とする映像再生方法。
【請求項４】
前記映像用インデックス作成検索システムから前記インデックス情報に対応する画像を受信し、前記出力するインデックス情報とともに該画像を出力することを特徴とする請求項１〜３いずれかに記載の映像再生方法。
【請求項５】
前記出力するインデックス情報に対応する画像又は映像の一部分を前記録画した放送番組映像から作成し、前記出力するインデックス情報とともに該画像又は映像の一部分を出力することを特徴とする請求項１〜３いずれかに記載の映像再生方法。
【請求項６】
前記映像蓄積再生端末及び前記映像用インデックス作成検索システムは、標準周波数局から発信される標準電波により時計手段の時間を補正する、又は標準時間提供サーバから提供される標準時間情報に基づいて時計手段を補正することを特徴とする請求項１〜５いずれかに記載の映像再生方法。
【請求項７】
前記映像蓄積再生端末は、地域特定情報、又は自動チャンネルスキャンの結果で得られた情報に基づいて前記検索要求情報を送信する映像用インデックス作成検索システムを決定することを特徴とする請求項１〜６いずれかに記載の映像再生方法。
【請求項８】
映像蓄積再生端末が頭出し再生を行うために必要な情報を該映像蓄積再生端末に提供する映像用インデックス作成検索システムにおけるインデックス情報提供方法であって、
受信した放送番組に対して文字認識手段が文字認識を行う文字認識ステップと、
インデックス作成手段が前記文字情報認識結果を出現文字情報、出現日時情報、及び出現チャンネル情報を含むインデックス情報として記憶手段に保存するインデックス情報作成ステップと、
前記映像蓄積端末から検索条件を含む検索要求情報を通信手段が受信する検索要求情報取得ステップと、
インデックス検索手段が前記記憶手段を検索して前記検索条件に該当する出現文字情報、出現日時情報、及び出現チャンネル情報を含む検索結果を取得する検索結果取得ステップと、
前記検索結果を前記通信手段が前記映像蓄積端末に送信する検索結果送信ステップと、を有することを特徴とするインデックス情報提供方法。
【請求項９】
映像蓄積再生端末が頭出し再生を行うために必要な情報を該映像蓄積再生端末に提供する映像用インデックス作成検索システムにおけるインデックス情報提供方法であって、
受信した放送番組に対して文字認識手段が文字認識を行う文字認識ステップと、
インデックス作成手段が前記文字情報認識結果を出現文字情報、出現日時情報、及び出現チャンネル情報を含むインデックス情報として記憶手段に保存するインデックス情報作成ステップと、
前記映像蓄積端末から検索条件、及び録画番組特定情報を含む検索要求情報を通信手段が受信する検索要求情報取得ステップと、
インデックス検索手段が前記記憶手段を検索して前記検索条件に該当する出現文字情報、出現日時情報、及び出現チャンネル情報を含む検索結果を取得する検索結果取得ステップと、
インデックス情報比較手段が前記録画番組特定情報をマスク情報として前記検索結果にマスク処理を行うインデックス情報比較ステップと、
前記マスク処理後のデータを前記通信手段が前記映像蓄積端末に送信する検索結果送信ステップと、を有することを特徴とするインデックス情報提供方法。
【請求項１０】
録画した放送番組を頭出し再生可能な映像蓄積再生端末であって、
放送番組を受信して文字認識を行い該放送番組のインデックス情報を蓄積する映像用インデックス作成検索システムに、検索条件を含む検索要求を送信し、該検索条件に対応するインデックス情報を該映像用インデックス作成検索システムから受信する通信手段と、
録画した放送番組の録画番組特定情報により前記インデックス情報にマスク処理を行い、該マスク処理後のデータに基づいて録画した放送番組のインデックス情報を作成して出力し、該インデックス情報に対する選択情報を入力して該選択情報に基づき該録画した放送番組の再生シーンを特定して該シーンを再生させる制御部と、を有することを特徴とする映像蓄積再生端末。
【請求項１１】
録画した放送番組を頭出し再生可能な映像蓄積再生端末であって、
放送番組を第１の記憶手段に録画する録画手段と、
前記録画した放送番組の録画番組特定情報を第２の記憶手段に蓄積する蓄積済み番組情報蓄積手段と、
検索条件及びインデックス選択情報を入力する入力手段と、
前記放送番組のインデックス情報を保存する映像用インデックス作成検索システムに前記検索条件を含む検索要求情報を通信手段が送信し、該映像用インデックス作成検索システムから該検索条件に該当するインデックス情報を含む検索結果を受信する通信手段と、
前記録画番組特定情報をマスク情報として前記検索結果にマスク処理を行うインデックス比較手段と、
前記マスク処理後のデータに基づいてインデックスを作成して出力する出力情報作成手段と、
前記インデックス選択情報に基づいて前記放送番組中の再生シーンを決定し、該再生シーンから頭出し再生を行う再生手段と、を有することを特徴とする映像蓄積再生端末。
【請求項１２】
映像蓄積再生端末が頭出し再生を行うために必要な情報を該映像蓄積再生端末に提供する映像用インデックス作成検索システムであって、
受信した放送番組に対して文字認識を行う文字認識手段と、
前記文字情報認識結果を出現文字情報、出現日時情報、及び出現チャンネル情報を含むインデックス情報として記憶手段に保存するインデックス作成手段と、
前記映像蓄積端末から検索条件及び録画番組特定情報を含む検索要求情報を受信し、検索結果にマスク処理を施したデータを該映像蓄積端末に送信する通信手段と、
前記記憶手段を検索して前記検索条件に該当する出現文字情報、出現日時情報、及び出現チャンネル情報を含む前記検索結果を取得するインデックス検索手段と、
前記録画番組特定情報をマスク情報として前記検索結果にマスク処理を行うインデックス情報比較手段と、を有することを特徴とする映像用インデックス作成検索システム。
【発明の詳細な説明】
【技術分野】
【０００１】
本発明は、録画した映像の中から希望するシーンを探索して提供する技術に関するものである。
【背景技術】
【０００２】
映像からテロップなどの文字情報を抽出し、抽出した結果をインデックスとして利用し、映像を再生する技術は従来から提案されている。
【０００３】
パソコンやテレビなどの映像入力機能を備えた端末において、入力された映像中に表示される文字が表示されたフレーム画像を自動検出し、検出されたフレーム画像をメモ情報として画面に表示する技術が開示されている(例えば、特許文献１参照。)。
【０００４】
また、映像中から検出されたフレーム画像中の文字情報を自動認識して得られた文字コード情報を使って映像をキーワード検索する技術が開示されている(例えば、特許文献２参照。)。さらに得られた文字コードを使用してインターネット上の情報を検索し、入力映像に関連するインターネット情報を取得する技術が開示されている(例えば、特許文献３参照。)。
【０００５】
また、映像中に含まれる文字の認識を自動的に行い、認識した結果を映像再生用のインデックスとして利用し、通信回線を介して映像蓄積再生端末からの要求に応じて映像情報を配信する映像提供方法に関する技術が開示されている(例えば、特許文献４参照。)。
【０００６】
また、ＥＰＧのデータをもとに録画予約する技術については、ＨＤＤレコーダ製品が実現されている。
【特許文献１】特開１９９９−１６８６９１号公報
【特許文献２】特開１９９９−１７６０３７号公報
【特許文献３】特開１９９９−１７７８９９号公報
【特許文献４】特開１９９９−１６７５８３号公報
【発明の開示】
【発明が解決しようとする課題】
【０００７】
ＰＶＲ（Ｐｅｒｓｏｎａｌ  Ｖｉｄｅｏ  Ｒｅｃｏｒｄｅｒ：ＨＤＤ内蔵レコーダ）が急速に普及し、放送番組をＨＤＤに蓄積して、後日視聴するユーザが増加している。さらにＨＤＤユニットの低価格化により近年大容量化が進み、ＨＤＤに録画された膨大な映像の中から、自分の希望するシーンを網羅的に検索し、素早く正確に視聴できる技術が求められている。
【０００８】
しかしながら、ＥＰＧ等のメタ情報は荒く、録画番組単位でキーワード等を用いて検索して自分の希望するシーン等を呼び出すことは出来ても、希望するシーンや好きなタレントの登場シーンを正確に頭出しすることはできないという問題があった。
【０００９】
このような課題を解決するために、テロップなどの文字情報を認識しインデックスとして用いる技術が提案されているが、映像を録画するＨＤＤ内蔵レコーダ上でテロップなどの文字情報を個々に認識すると、文字情報認識の処理負荷が高いため、１端末当たりの費用が高価になり実現が難しいという問題があった。
【００１０】
また、特許文献４に記載された通信回線を介した映像情報提供技術においては、文字情報だけでなく、映像情報も通信回線を通じて配信する必要があり、ＨＤＤレコーダの検索には利用できない。
【００１１】
そこで上記問題点に鑑みて、録画された映像の中から希望するシーンを検索して視聴可能な技術を提供することを目的とする。
【課題を解決するための手段】
【００１２】
そこで上記課題を解決するために、請求項１に記載の発明は、録画した放送番組を頭出し再生可能な映像蓄積再生端末における映像再生方法であって、放送番組を受信して文字認識を行い該放送番組のインデックス情報を蓄積する映像用インデックス作成検索システムに、検索条件を含む検索要求を送信することで該検索条件に対応するインデックス情報を該映像用インデックス作成検索システムから受信し、録画した放送番組の録画番組特定情報により前記インデックス情報にマスク処理を行い、該マスク処理後のデータに基づいて録画した放送番組のインデックス情報を作成して出力し、該インデックス情報に対する選択情報を入力して該選択情報に基づいて該録画した放送番組の再生シーンを特定し、該シーンから該録画した放送番組の頭出し再生を行うことを特徴とする。
【００１３】
また、請求項２に記載の発明は、録画した放送番組を頭出し再生可能な映像蓄積再生端末における映像再生方法であって、録画手段が放送番組を第１の記憶手段に録画する録画ステップと、前記録画した放送番組の録画番組特定情報を蓄積済み番組情報蓄積手段が第２の記憶手段に蓄積する蓄積済み番組情報蓄積ステップと、検索条件を入力手段が入力する検索条件入力ステップと、前記放送番組のインデックス情報を保存する映像用インデックス作成検索システムに前記検索条件を含む検索要求情報を通信手段が送信する検索要求ステップと、前記映像用インデックス作成検索システムから前記検索条件に該当するインデックス情報を含む検索結果を前記通信手段が受信する検索結果受信ステップと、インデックス比較手段が前記録画番組特定情報をマスク情報として前記検索結果にマスク処理を行うインデックス情報比較ステップと、出力情報作成手段が前記マスク処理後のデータに基づいてインデックスを作成して出力するインデックス出力ステップと、インデックス選択情報を前記入力手段が入力するインデックス選択情報入力ステップと、再生手段が、前記インデックス選択情報に基づいて録画した放送番組の再生シーンを特定し、該シーンから頭出し再生を行う再生ステップと、を有することを特徴とする。
【００１４】
また、請求項３に記載の発明は、録画した放送番組を頭出し再生可能な映像蓄積再生端末における映像再生方法であって、録画手段が放送番組を第１の記憶手段に録画する録画ステップと、前記録画した放送番組の録画開始時刻、録画終了時刻若しくは録画時間、録画チャンネル識別情報、並びに蓄積番組特定情報を蓄積済み番組情報蓄積手段が第２の記憶手段に蓄積する蓄積済み番組情報蓄積ステップと、検索条件を入力手段が入力する検索条件入力ステップと、前記放送番組について文字認識を行い該文字認識の結果を出現文字情報、出現日時情報、及び出現チャンネル情報を含むインデックス情報として第３の記憶手段に保存する映像用インデックス作成検索システムに前記検索条件を含む検索要求情報を通信手段が送信する検索要求ステップと、前記映像用インデックス作成検索システムから前記検索条件に該当する出現文字情報、出現日時情報、及び出現チャンネル情報を含む検索結果を前記通信手段が受信する検索結果受信ステップと、インデックス情報比較手段が前記第２の記憶手段に蓄積する情報をマスク情報として前記検索結果にマスク処理を行うインデックス情報比較ステップと、出力情報作成手段が前記マスク処理後のデータに基づいてインデックスを作成して出力するインデックス出力ステップと、インデックス選択情報を前記入力手段が入力するインデックス選択情報入力ステップと、蓄積済み番組検索手段が前記第２の記憶手段を検索して前記インデックス選択情報に対応する蓄積番組特定情報を取得する蓄積番組特定情報取得ステップと、放送番組検索手段が前記第１の記憶手段を検索して前記蓄積番組特定情報に対応する放送番組を取得する放送番組取得ステップと、再生手段が前記インデックス選択情報に対応する出現日時情報に基づいて前記放送番組中の再生シーンを決定し、該再生シーンから頭出し再生を行う再生ステップと、を有することを特徴とする。
【００１５】
また、請求項４に記載の発明は、前記映像用インデックス作成検索システムから前記インデックス情報に対応する画像を受信し、前記出力するインデックス情報とともに該画像を出力することを特徴とする。
【００１６】
また、請求項５に記載の発明は、前記出力するインデックス情報に対応する画像又は映像の一部分を前記録画した放送番組映像から作成し、前記出力するインデックス情報とともに該画像又は映像の一部分を出力することを特徴とする。
【００１７】
また、請求項６に記載の発明は、前記映像蓄積再生端末及び前記映像用インデックス作成検索システムは、標準周波数局から発信される標準電波により時計手段の時間を補正する、又は標準時間提供サーバから提供される標準時間情報に基づいて時計手段を補正することを特徴とする。
【００１８】
また、請求項７に記載の発明は、前記映像蓄積再生端末は、地域特定情報、又は自動チャンネルスキャンの結果で得られた情報に基づいて前記検索要求情報を送信する映像用インデックス作成検索システムを決定することを特徴とする。
【００１９】
また、請求項８に記載の発明は、映像蓄積再生端末が頭出し再生を行うために必要な情報を該映像蓄積再生端末に提供する映像用インデックス作成検索システムにおけるインデックス情報提供方法であって、受信した放送番組に対して文字認識手段が文字認識を行う文字認識ステップと、インデックス作成手段が前記文字情報認識結果を出現文字情報、出現日時情報、及び出現チャンネル情報を含むインデックス情報として記憶手段に保存するインデックス情報作成ステップと、前記映像蓄積端末から検索条件を含む検索要求情報を通信手段が受信する検索要求情報取得ステップと、インデックス検索手段が前記記憶手段を検索して前記検索条件に該当する出現文字情報、出現日時情報、及び出現チャンネル情報を含む検索結果を取得する検索結果取得ステップと、前記検索結果を前記通信手段が前記映像蓄積端末に送信する検索結果送信ステップと、を有することを特徴とする。
【００２０】
また、請求項９に記載の発明は、映像蓄積再生端末が頭出し再生を行うために必要な情報を該映像蓄積再生端末に提供する映像用インデックス作成検索システムにおけるインデックス情報提供方法であって、受信した放送番組に対して文字認識手段が文字認識を行う文字認識ステップと、インデックス作成手段が前記文字情報認識結果を出現文字情報、出現日時情報、及び出現チャンネル情報を含むインデックス情報として記憶手段に保存するインデックス情報作成ステップと、前記映像蓄積端末から検索条件、及び録画番組特定情報を含む検索要求情報を通信手段が受信する検索要求情報取得ステップと、インデックス検索手段が前記記憶手段を検索して前記検索条件に該当する出現文字情報、出現日時情報、及び出現チャンネル情報を含む検索結果を取得する検索結果取得ステップと、インデックス情報比較手段が前記録画番組特定情報をマスク情報として前記検索結果にマスク処理を行うインデックス情報比較ステップと、前記マスク処理後のデータを前記通信手段が前記映像蓄積端末に送信する検索結果送信ステップと、を有することを特徴とする。
【００２１】
また、請求項１０に記載の発明は、録画した放送番組を頭出し再生可能な映像蓄積再生端末であって、放送番組を受信して文字認識を行い該放送番組のインデックス情報を蓄積する映像用インデックス作成検索システムに、検索条件を含む検索要求を送信し、該検索条件に対応するインデックス情報を該映像用インデックス作成検索システムから受信する通信手段と、録画した放送番組の録画番組特定情報により前記インデックス情報にマスク処理を行い、該マスク処理後のデータに基づいて録画した放送番組のインデックス情報を作成して出力し、該インデックス情報に対する選択情報を入力して該選択情報に基づき該録画した放送番組の再生シーンを特定して該シーンを再生させる制御部と、を有することを特徴とする。
【００２２】
また、請求項１１に記載の発明は、録画した放送番組を頭出し再生可能な映像蓄積再生端末であって、放送番組を第１の記憶手段に録画する録画手段と、前記録画した放送番組の録画番組特定情報を第２の記憶手段に蓄積する蓄積済み番組情報蓄積手段と、検索条件及びインデックス選択情報を入力する入力手段と、前記放送番組のインデックス情報を保存する映像用インデックス作成検索システムに前記検索条件を含む検索要求情報を通信手段が送信し、該映像用インデックス作成検索システムから該検索条件に該当するインデックス情報を含む検索結果を受信する通信手段と、前記録画番組特定情報をマスク情報として前記検索結果にマスク処理を行うインデックス比較手段と、前記マスク処理後のデータに基づいてインデックスを作成して出力する出力情報作成手段と、前記インデックス選択情報に基づいて前記放送番組中の再生シーンを決定し、該再生シーンから頭出し再生を行う再生手段と、を有することを特徴とする。
【００２３】
また、請求項１２に記載の発明は、映像蓄積再生端末が頭出し再生を行うために必要な情報を該映像蓄積再生端末に提供する映像用インデックス作成検索システムであって、受信した放送番組に対して文字認識を行う文字認識手段と、前記文字情報認識結果を出現文字情報、出現日時情報、及び出現チャンネル情報を含むインデックス情報として記憶手段に保存するインデックス作成手段と、前記映像蓄積端末から検索条件及び録画番組特定情報を含む検索要求情報を受信し、検索結果にマスク処理を施したデータを該映像蓄積端末に送信する通信手段と、前記記憶手段を検索して前記検索条件に該当する出現文字情報、出現日時情報、及び出現チャンネル情報を含む前記検索結果を取得するインデックス検索手段と、前記録画番組特定情報をマスク情報として前記検索結果にマスク処理を行うインデックス情報比較手段と、を有することを特徴とする。
【００２４】
なお、上記録画番組特定情報は、録画した番組を特定するための情報で、録画した放送番組の録画開始時刻、録画終了時刻若しくは録画時間、及び録画チャンネル識別情報を用いることが可能である。
【００２５】
また、上記蓄積番組特定情報は、第１の記録手段に録画した番組を検索するための情報である。
【００２６】
また、第１〜第３の記録手段、及び記録手段については、端末若しくはシステム内に設置されるＤＢ、端末若しくはシステム外に設置されアクセス可能なＤＢ、ＨＤＤ、並びにＤＶＤ等の可搬媒体を用いることが可能である。
【００２７】
また、映像用インデックス作成検索システムが取得するインデックス情報を可搬媒体により映像蓄積再生端末に接続する場合には、通信手段に代えて読み取り手段を用いることが可能である。
【００２８】
また、地域特定情報については地域の電話番号、郵便番号、及び地域名等地域を特定可能な情報を用いることが可能である。
【００２９】
請求項１〜３、１０及び１１に記載の発明では、録画した放送番組を頭出し再生するために必要なインデックス情報を映像用インデックス作成検索システムに要求し取得する。さらに、取得したインデックス情報をマスク処理して、録画していない放送番組に係るインデックス情報を削除する。
【００３０】
請求項４に記載の発明では、インデックス情報に対応する画像を映像用インデックス作成検索システムから取得して映像蓄積再生端末が出力する。
【００３１】
請求項５に記載の発明では、インデックス情報に対応する画像又は映像の一部分を映像蓄積再生端末が作成して出力する。
【００３２】
請求項６に記載の発明では、時計手段の時刻を正確にし、かつ、映像蓄積再生端末と映像用インデックス作成検索システムとで時刻を同期させる。
【００３３】
請求項７に記載の発明では、地域特定情報又は自動チャンネルスキャンの結果で得られた情報に基づいてアクセスする映像用インデックス作成検索システムを決定する。
【００３４】
請求項８記載の発明では、録画した放送番組を頭出し再生するために必要なインデックス情報を映像蓄積再生端末に提供する。
【００３５】
請求項９及び１２に記載の発明では、録画した放送番組を頭出し再生するために必要なインデックス情報にマスク処理を行い、録画していない放送番組に係るインデックス情報を削除したインデックス情報を映像蓄積再生端末に提供する。
【発明の効果】
【００３６】
請求項１〜３、１０及び１１に記載の発明によれば、映像蓄積再生端末内で文字認識を行う場合と比較して、映像蓄積再生端末の処理負荷が低減し、映像蓄積再生端末を低価格で提供できる。また、マスク処理を行うことで、録画されていない放送番組のインデックス情報を出力することがない。
【００３７】
請求項４に記載の発明によれば、インデックス情報に対応する画像をさらに出力することが可能となる。
【００３８】
請求項５に記載の発明によれば、インデックス情報に対応する画像又は映像の一部分をさらに出力することが可能となる。
【００３９】
請求項６に記載の発明によれば、録画開示時刻、及び録画終了時刻をより正確にすることができ、映像用インデックス作成検索システムで用いている時刻と映像蓄積再生端末で用いている時刻とにずれがなくなり、より正確な頭出し再生を実現する。
【００４０】
請求項７に記載の発明によれば、地域特定情報又は自動チャンネルスキャンの結果を用いて映像用インデックス作成検索システムと映像蓄積再生端末との放送地域を一致させることが可能となる。
【００４１】
請求項８に記載の発明によれば、映像蓄積再生端末内で文字認識を行う場合と比較して、映像蓄積再生端末の処理負荷が低減し、映像蓄積再生端末を低価格で提供できる。
【００４２】
請求項９及び１２に記載の発明によれば、映像用インデックス作成検索システムがマスク処理を行わずに映像蓄積再生端末にデータを送信する場合と比較して、映像蓄積再生端末に送信するデータ量を低減でき、情報要求に対する応答を高速化できる。
【発明を実施するための最良の形態】
【００４３】
以下、実施形態について図面を参照して説明する。
【００４４】
(基本構成)
図１は、実施形態の基本構成を示すブロック図である。実施形態の基本構成は、映像放送を行う放送局１１、映像放送を受信するアンテナ１２及び録画した映像放送を蓄積するＨＤＤ１４を備える映像蓄積再生端末１３、並びに、複数の映像放送チャンネルを同時に受信可能なアンテナ１６及び映像放送から取得する映像情報に対して文字認識を行って作成した検索可能なインデックスを蓄積する文字認識結果ＤＢ１７を備える映像用インデックス作成検索システム１８を有している。
【００４５】
映像蓄積再生端末１３と映像用インデックス作成検索システム１８とは通信回線１５を介して接続されている。また、複数の映像蓄積再生端末１３が映像用インデックス作成検索システム１８に接続することが可能である。
【００４６】
映像蓄積再生端末１３はＨＤＤ１４に蓄積された番組内容に関する情報、例えば、出演している俳優名、所望するシーン等を含む検索条件を入力する。この検索条件により映像用インデックス作成検索システム１８に対して検索を行い、検索結果を得る。この取得した検索結果データ基づいて映像放送番組に関する映像用インデックスを作成し、ユーザはこのインデックスを引いて映像放送番組内の所望のシーンを頭出すること等が可能となる。
【００４７】
(実施形態１)
図２は実施形態１の機能ブロック図である。実施形態１では映像蓄積端末２３内に、蓄積済み番組ＤＢ２４、インデックス情報比較手段２５、マスク処理後のデータ領域２６、及びＨＤＤ２７を備えている。
【００４８】
蓄積済み番組ＤＢ２４は録画開始時刻、録画終了時刻、録画チャンネルの識別情報、及び蓄積番組特定情報を保存する。なお、蓄積番組特定情報はＨＤＤ２７に録画された映像を特定する情報である。
【００４９】
インデックス情報比較手段２５は映像用インデックス作成検索システム３１から送信される検索結果データ３２と蓄積済み番組ＤＢ内の情報とを比較して、蓄積済み番組ＤＢ２４内の情報に一致しない検索結果データ３２についてマスク処理を施す。
【００５０】
なお、図示は省略するが映像蓄積再生端末２３は、録画手段、蓄積済み番組情報蓄積手段、入力手段、通信手段、出力情報作成手段、インデックス用画像作成手段、表示手段、蓄積済み番組検索手段、放送番組検索手段、再生手段、及び日時制御手段を備えることが可能である。
【００５１】
また、映像用インデックス作成検索システム３１は、文字認識手段、インデックス作成手段、通信手段、インデックス検索手段、映像用インデックス検索手段、及び日時制御手段を備えることが可能である。
【００５２】
この映像蓄積再生端末２３及び映像用インデックス作成検索システム３１における処理フローの一例について図３を用いて説明する。
【００５３】
まず、映像蓄積再生端末２３のアンテナ２２が放送番組を受信（Ｓ１００）し、映像用インデックス作成検索システム３１のアンテナ２９が放送番組を受信（Ｓ１０１）する。なお、映像用インデックス作成検索システム３１は、映像蓄積再生端末２３が設置された地域や自動チャンネルスキャン結果に対応するものである。
【００５４】
映像蓄積再生端末２３は、録画手段を用いて放送番組をＨＤＤ２７に保存し、蓄積済み番組情報蓄積手段を用いて録画開始時刻、録画終了時刻（若しくは、録画時間）、録画チャンネル識別情報、並びに蓄積番組特定情報を蓄積済み番組ＤＢ２４に保存（Ｓ１０２）する。
【００５５】
映像用インデックス作成検索システム３１の映像用インデックス作成手段は受信した各放送チャンネルの文字情報認識を文字認識手段により実行する。そしてインデックス情報を文字情報のみで構成するか否かを所定の指定に基づき判断し（Ｓ１０３）、インデックス情報が文字情報のみで構成する指定の場合には、文字情報認識の結果を出現文字情報、出現日時情報、及び出現チャンネル情報を含むインデックス情報として、文字認識結果ＤＢ３０に保存（Ｓ１０４）する。一方、インデックス情報にインデックス用画像を含めるように指定されている場合には、出現文字情報、出現日時情報、出現チャンネル情報、及びインデックス用画像を含むインデックス情報として、文字認識結果ＤＢ３０に保存（Ｓ１０５）する。
【００５６】
次に、映像蓄積再生端末２３の利用者は、映像蓄積再生端末２３に備えられた入力手段を介して所望の場面と関連する検索キーワードを含む検索要求情報３３を設定し、通信手段が検索要求情報３３を映像用インデックス作成検索システム３１へ送信（Ｓ１０７）する。
【００５７】
映像用インデックス作成検索システム３１のインデックス検索手段は、受信した検索要求情報３３を検索条件にして、文字認識結果ＤＢ３０を検索（Ｓ１０８）し、検索要求情報３３に一致する出現文字情報、出現日時情報、及び出現チャンネル情報を含む検索結果データ３２を映像蓄積再生端末２３へ送信（Ｓ１０９）する。
【００５８】
映像蓄積再生端末２３は検索結果データ３２を受信（Ｓ１１０）し、インデックス情報比較手段２５によって、検索結果データ３２（検索要求情報３３と一致した文字認識結果の出現文字情報、出現時刻、及び出現チャンネル情報を含むインデックス情報）と蓄積済み番組ＤＢ情報２４とを比較し、録画開始時刻、録画終了時刻、及び録画チャンネル識別情報を用いて一致しないインデックス情報を削除するマスク処理を行う。そしてマスク処理後のデータを取得（Ｓ１１１）し、マスク処理後のデータをマスク処理後のデータ領域２６に格納する。
【００５９】
さらに、映像蓄積再生端末２３は、マスク処理後のデータに基づいて所望する場面のインデックス作成のための準備を行う（Ｓ１１２）。
【００６０】
インデックスを文字情報のみで構成するか否かを所定の指定に基づき判断（Ｓ１１３）し、インデックスを文字情報のみで構成する指定の場合には、出現文字情報を含み、かつ、選択可能な文字情報（即ち、テキスト）で構成された文字情報インデックスを作成し、表示手段を介して、利用者に表示する（Ｓ１１４）。なお、表示手段は映像蓄積再生端末２３が備える必要は無く、接続する表示手段に情報を出力する出力手段を映像蓄積再生端末２３が備えるようにしてもよい。
【００６１】
一方、インデックスを文字情報だけでなく、インデックス用画像を含んで構成する場合には、さらに、インデックス用画像を映像用インデックス作成検索システム３１から取得するか、又は、映像蓄積再生端末２３内のＨＤＤ２７に保存された蓄積番組映像データから作成するかを選択（Ｓ１１５）する。なお、選択方法は、予め選択してあってもよいし、映像蓄積再生端末２３のユーザに問い合わせて、選択してもよい。
【００６２】
そして、インデックス用画像を映像用インデックス作成検索システム３１から取得する場合には、映像蓄積再生端末２３内の通信手段が映像用インデックス作成検索システム３１へ問い合わせる（Ｓ１１６）。
【００６３】
問い合わせを受信した映像用インデックス作成検索システム３１は、映像用インデックス検索手段が、問い合わせに対応したインデックス用画像を返信できるか否かを判断（Ｓ１１７）する。
【００６４】
インデックス用画像を返信できる場合には、映像蓄積再生端末２３へインデックス用画像を返信（Ｓ１１８）する。
【００６５】
また、Ｓ１１５で映像蓄積再生端末２３内のＨＤＤ２７に保存された蓄積番組映像データからインデックス用画像を作成することを選択した場合、又は、Ｓ１１７で映像用インデックス作成検索システム３１がインデックス用画像を返信できない場合には、映像蓄積再生端末２３内のインデックス用画像作成手段が、マスク処理後のデータに対応した蓄積番組映像データをＨＤＤ２７から取得し(Ｓ１１９)、インデックス用画像を作成する。
【００６６】
そして、インデックス用画像、及びマスク処理後のデータを含み、かつ、選択可能な項目（例えば、文字情報又はインデックス用画像から成る項目）で構成された画像付きインデックスを作成し、表示手段を介して、利用者に表示する(Ｓ１２０)。
【００６７】
利用者が入力手段を介して、文字情報インデックス、及び画像付きインデックスのいずれかから、所望の場面に対応する項目を選択（Ｓ１２１）すると、その項目に対応したインデックス情報（出現日時情報、及び出現チャンネル）を含む検索条件で蓄積済み番組検索手段が蓄積済み番組ＤＢ２４を検索して蓄積番組特定情報を取得し、この蓄積番組特定情報に基づいて放送番組検索手段がＨＤＤ２７中の蓄積番組映像データを特定し、蓄積番組映像データ中で出現日時情報に該当する箇所から再生手段が再生を開始する（Ｓ１２２）。
【００６８】
(実施形態２)
図４は映像用インデックス作成検索システム５０側にインデックス情報比較手段５３を備えた実施形態２を示す。実施形態２では映像蓄積再生端末４３内に、蓄積済み番組ＤＢ４４、及びＨＤＤ４５を備えている。また、映像用インデックス作成検索システム５０は文字認識結果ＤＢ５１、インデックス情報比較手段５３、及びマスク処理後のデータ領域５４を備えている。
【００６９】
図４において、映像蓄積再生端末４３はアンテナ４２で放送番組を受信してＨＤＤ４５に蓄積し、録画開始時刻、録画終了時刻(若しくは、録画時間)、録画チャンネル識別情報、並びに蓄積番組特定情報を蓄積済み番組ＤＢ４４に保存する。
【００７０】
映像用インデックス作成検索システム５０は、アンテナ４９で複数の放送チャンネルを受信して映像中の文字情報認識を実行し、その結果を、出現文字情報、出現時刻情報、及び出現チャンネル情報を含むインデックス情報として文字認識結果ＤＢ５１に保存する。
【００７１】
映像蓄積再生端末４３は映像用インデックス作成検索システム５０に対して所望するシーンと関連する検索キーワードを含む検索要求情報４６を通信回線４８を介して送信する。このとき一緒に、蓄積済み番組ＤＢ情報４７も送信する。
【００７２】
映像用インデックス作成検索システム５０は、検索要求情報４６をもとに文字認識結果ＤＢ５１の検索を行い検索結果データ５２を得る。
【００７３】
インデックス情報比較手段５３は、検索結果データ５２（検索要求情報４６と一致した文字認識結果の出現文字情報、出現時刻、及び出現チャンネル情報を含むインデックス情報）と蓄積済み番組ＤＢ情報４７とを比較し、録画開始時刻、録画終了時刻、及び録画チャンネル識別情報を用いて一致しないインデックス情報を削除するマスク処理を行う。このマスク処理後のデータをマスク処理後のデータ領域５４に記憶する。
【００７４】
マスク処理後のデータは、映像蓄積再生端末４３のＨＤＤ４５に録画されている放送番組の所望するシーンと関連する出現文字情報、出現時刻、及び出現チャンネル情報を含むインデックス情報となる。
【００７５】
このマスク処理後のデータを通信回線４８を介して映像蓄積再生端末４３に送信する。
【００７６】
映像蓄積再生端末４３は、マスク処理後のデータからインデックス一覧を作成しユーザに表示する。
【００７７】
ユーザがインデックス一覧からシーンを選択すると、文字出現時刻、及び出現チャンネル情報をキーに蓄積済み番組ＤＢ４４を検索して蓄積番組特定情報を取得する。
【００７８】
この蓄積番組特定情報に基づいてＨＤＤ４５に録画されている番組映像データを特定し、この番組映像データ中から、録画時刻、及び録画チャンネルが一致するシーンを呼び出すことによって、所望するシーンから再生開始する。
【００７９】
(実施形態３)
図５は放送日時同期を行う実施形態３を示す。実施形態３では、映像蓄積再生端末６４及び映像用インデックス作成検索システム７１はそれぞれ電波時計６６、７３を備えている。これら電波時計６６、７３には１０万年に１秒の誤差といわれるセシウム原子時計をもとに日本に２箇所ある電波送信所の中の一の電波送信所(標準周波数局)６２から標準電波６５、７２が送信される。
【００８０】
電波時計６６は、電波送信所６２から発信される標準電波６５を自動受信して日時修正を行い、ＨＤＤ６８に録画する放送番組の放送日時は電波時計６６の日時を放送日時として用いる。また、蓄積済み番組ＤＢ６７に保存する録画開始時刻、及び録画終了時刻にも電波時計６６の日時を用いる。
【００８１】
電子時計７３は電波送信所６２から発信される標準電波７２を自動受信して日時修正を行い、文字認識結果ＤＢ７４に保存するインデックス情報の文字出現時刻は、電波時計７３の日時を用いる。
【００８２】
放送局６１から映像放送されている内容は同一地域、同一チャンネル、同一時刻で一意に決まるため、映像蓄積再生端末６４及び映像用インデックス作成検索システム７１の時刻を標準時刻に同期させることにより、正確にテロップ文字が出ているシーンの頭出しを実現する。
【００８３】
(実施形態４)
図６は放送日時同期を行う実施形態４を示す。実施形態４では、標準時間提供サーバ８６が通信回線８５に接続している。この標準時間提供サーバ８５は通信回線上で標準時間を提供している。
【００８４】
映像蓄積再生端末８２は、標準時間提供サーバ８６に通信回線８５を介して定期的に日時合わせを行い、ＨＤＤ８４に録画する放送番組の放送日時にはこの日時を放送日時として用いる。また、蓄積済み番組ＤＢ８３に保存する録画開始時刻、録画終了時刻にもこの日時を用いる。
【００８５】
映像用インデックス作成検索システム８７は、標準時間提供サーバ８６に通信回線８５を介して定期的に日時合わせを行い、文字認識結果ＤＢ８８に保存するインデックス情報の文字出現時刻にはこの日時を用いる。
【００８６】
放送局８１から映像放送されている内容は同一地域、同一チャンネル、同一時刻で一意に決まるため、映像蓄積再生端末８２及び映像用インデックス作成検索システム８７の時刻を標準時刻に同期させることにより、正確にテロップ文字が出ているシーンの頭出しを実現する。
【００８７】
(実施形態５)
図７は、実施形態３及び４を組み合わせた放送日時同期を行う実施形態５を示す。実施形態５では、標準時間提供サーバ１０８が通信回線１０７に接続している。この標準時間提供サーバ１０８は通信回線上で標準時間を提供している。また、映像用インデックス作成検索システム１１０は電波時計１１２を備えている。この電波時計１１２には１０万年に１秒の誤差といわれるセシウム原子時計をもとに日本に２箇所ある電波送信所の中の一の電波送信所１０２から標準電波１１３が送信される。
【００８８】
映像蓄積再生端末１０４は、標準時間提供サーバ１０８に通信回線１０７を介して定期的に日時合わせを行い、ＨＤＤ１０６に録画する放送番組の放送日時にはこの日時を放送日時として用いる。また、蓄積済み番組ＤＢ４６に保存する録画開始時刻、録画終了時刻にもこの日時を用いる。
【００８９】
映像用インデックス作成検索システム１１０に組み込まれている電波時計１１２は、電波送信所１０２から発信される標準電波１１３を自動受信して日時修正を行い、文字認識結果ＤＢ１１１に保存するインデックス情報の文字出現時刻には電波時計１１２の日時を用いる。
【００９０】
放送局１０１から映像放送されている内容は同一地域、同一チャンネル、同一時刻で一意に決まるため、映像蓄積再生端末１０４及び映像用インデックス作成検索システム１１０の時刻を標準時刻に同期させることにより、正確にテロップ文字が出ているシーンの頭出しを実現する。
【００９１】
(実施形態６)
図８は、実施形態３及び４を組み合わせた放送日時同期を行う実施形態６を示す。実施形態６では、標準時間提供サーバ１３０が通信回線１２９に接続している。この標準時間提供サーバ１３０は通信回線上で標準時間を提供している。また、映像蓄積再生端末１２４は電波時計１２６を備えている。この電波時計１２６には１０万年に１秒の誤差といわれるセシウム原子時計をもとに日本に２箇所ある電波送信所の中の一の電波送信所１２２から標準電波１２５が送信される。
【００９２】
映像蓄積再生端末１２４に組み込まれている電波時計１２６は、電波送信所１２２から発信される標準電波１２５を自動受信して日時修正を行い、ＨＤＤ１２８に録画する放送番組の放送日時には電波時計１２６の日時を放送日時として用いる。また、蓄積済み番組ＤＢ１２７に保存する録画開始時刻、録画終了時刻にも電波時計１２６の日時を用いる。
【００９３】
映像用インデックス作成検索システム１３１は、標準時間提供サーバ１３０に通信回線１２９を介して定期的に日時合わせを行い、文字認識結果ＤＢ１３３に保存するインデックス情報の文字出現時刻にはこの日時を用いる。
【００９４】
放送局１２１から映像放送されている内容は同一地域、同一チャンネル、同一時刻で一意に決まるため、映像蓄積再生端末１２４及び映像用インデックス作成検索システム１３１の時刻を標準時刻に同期させることにより、正確にテロップ文字が出ているシーンの頭出しを実現する。
【００９５】
(実施形態７)
図９は、地域情報を用いて検索要求を行う映像用インデックス作成検索システムの自動的切り換えを行う実施形態７を示す。
【００９６】
映像蓄積再生端末１４４では、映像蓄積再生端末１４４が設置された地域の情報（以後、放送地域情報と称す；例えば、映像蓄積再生端末１４４が設置された地域の電話番号、郵便番号、及び地域名）や、映像蓄積再生端末１４４に備えられた自動チャンネルスキャンの結果で得られた情報に基づいて、放送地域に応じた映像用インデックス作成検索システム１４８を自動的に特定する。
【００９７】
映像蓄積再生端末１４４が備える放送地域情報読取手段によって利用者等から放送地域情報を取得し、さらに、映像蓄積再生端末１４４が備える映像用インデックス作成検索システム特定手段を介して、放送地域情報に対応した映像用インデックス作成検索システム１４８のネットワーク上の位置情報（例えば、ＵＲＬで表現されるアドレス）を導出し、映像用インデックス作成検索システム情報記憶領域に格納する。さらに、映像用インデックス作成検索システム情報記憶領域内の情報を用いて、該当する映像用インデックス作成検索システムを特定して、検索要求情報を含む検索条件で検索などの手順を行う。
【００９８】
例えば、地域名として広島市を入力すると映像蓄積再生端末１４４は当該地域名に該当する映像用インデックス作成検索システム１４９にアクセスする。この映像用インデックス作成検索システム１４９は広島市内に設置された映像再生端末１４４に番組を放送する放送局１４１と同じ放送局から番組を受信するものである。したがって、映像蓄積再生端末１４４及び映像用インデックス作成検索システム１４９が処理する番組、チャンネル、及び時間帯を対応させることが可能となる。
【００９９】
また、ユーザが東京都２３区内に引っ越した場合には、映像蓄積再生端末１４４に地域名として東京都２３区を入力することで、映像蓄積再生端末１４４は当該地域名に該当する映像用インデックス作成検索システム１５１にアクセスする。この映像用インデックス作成検索システム１５１は東京都２３区内に設置された映像再生端末１４４に番組を放送する放送局１４２と同じ放送局から番組を受信するものである。したがって、ユーザが引っ越した場合にも地域名を入力することで、映像蓄積再生端末１４４及び映像用インデックス作成検索システム１５１が処理する番組、チャンネル、及び時間帯を対応させることが可能となる。
【０１００】
なお、上記位置情報の導出方法は、幾つかの方法が考えられるが、例えば、映像蓄積再生端末１４４内に放送地域情報、及び映像用インデックス作成検索システムのネットワーク上の位置情報を項目に含む表を保持し、この表から放送地域情報に基づき、映像用インデックス作成検索システムのネットワーク上の位置情報を導出する方法がある。
【０１０１】
(実施形態８)
図１０は、電子番組ガイド（ＥＰＧ：Ｅｌｅｃｔｒｏｎｉｃ  Ｐｒｏｇｒａｍ  Ｇｕｉｄｅ）による番組録画を行うＥＰＧ録画手段１６３とインデックス情報比較手段１６５を映像蓄積再生端末１６２に備えた場合の実施形態８を示す。
【０１０２】
映像蓄積再生端末１６２には、ＥＰＧ（Ｅｌｅｃｔｏｒｏｎｉｃ  Ｐｒｏｇｒａｍ  Ｇｕｉｄｅ；電子番組ガイド）が保持されており、ＥＰＧに基づいてＥＰＧ録画手段１６３が録画した映像をＨＤＤ１６７に格納する。また、蓄積済み番組ＤＢ１６４には、録画した番組に関する録画開始時刻、録画終了時刻(若しくは録画時間)、録画チャンネル識別情報、並びに蓄積番組映像データ特定情報と共に、ＥＰＧ管理手段を用いてＥＰＧから取得した番組のメタ情報（ＥＰＧメタ情報）が格納されている。
【０１０３】
なお、ＥＰＧ自体は、映像蓄積再生端末１６２に保持されていなくとも、ＥＰＧ管理手段によってアクセスできる場所（例えば、インターネット）に存在すればよい。
【０１０４】
インデックス情報比較手段１６５は、検索結果データ１７３(検索要求情報１６９と一致した文字認識結果の出現文字情報、出現時刻、及び出現チャンネル情報を含むインデックス情報)と蓄積済み番組ＤＢ１６４情報とを比較し、録画開始時刻、録画終了時刻、及び録画チャンネル識別情報を用いて一致しないインデックス情報を削除するマスク処理を行う。このマスク処理後のデータをマスク処理後のデータ記憶領域１６６に記憶する。マスク処理後のデータは、ＨＤＤ１６７に録画されている所望するシーンと関連する出現文字情報、出現時刻、及び出現チャンネル情報を含むインデックス情報となる。
【０１０５】
映像蓄積再生端末１６２は、マスク処理後のデータからインデックス一覧を作成する。ユーザがインデックス一覧からシーンを選択すると、文字出現時刻、及び出現チャンネル情報をキーに蓄積済み番組ＤＢ１６４を検索して蓄積番組特定情報を取得する。この蓄積番組特定情報に基づいてＨＤＤ１６７に録画されている番組映像データを特定し、この番組映像データ中から、録画時刻、及び録画チャンネルが一致するシーンを呼び出すことによって、所望するシーンから再生開始する。
【０１０６】
また、ＥＰＧメタ情報に含まれる情報(例えば、番組のタイトル、及び番組のサブタイトル等)をキーワードとして映像蓄積再生端末１６２に入力して、このキーワードに該当する蓄積番組特定情報を蓄積済み番組ＤＢ１６４から取得し、この蓄積番組特定情報に基づいてＨＤＤ１６７に録画されている番組映像データを特定してこれを再生することが可能である。
【０１０７】
また、ＥＰＧメタ情報に含まれる情報(例えば、番組のタイトル、及び番組のサブタイトル等)をキーワードとして映像蓄積再生端末１６２に入力して、蓄積済み番組ＤＢ１６４を検索してこのキーワードを含むメタ情報を取得し、このメタ情報に対応する録画開始時刻、録画終了時刻、及び録画チャンネル識別情報を用いてマスク処理後のデータをさらにマスク処理を行うことができ、ユーザにとってより必要と思われる情報を表示することが可能となる。
【０１０８】
(その他)
なお、上記各実施形態においてＨＤＤについては、ＤＶＤ、外部ＨＤＤ等の可搬媒体を用いてもよいし、ＨＤＤを映像蓄積端末外に配置して、アクセス可能にしてもよい。
【０１０９】
また、文字認識結果ＤＢについては、ＤＶＤ、外部ＨＤＤ等の可搬媒体を用いてもよいし、映像用インデックス作成検索システム外に配置して、アクセス可能にしてもよい。
【０１１０】
また、録画した映像を蓄積済み番組ＤＢに蓄積することも可能である。
【０１１１】
また、アンテナを用いて映像放送を受信する代わりに、通信回線を用いて有線の映像放送を受信することも可能である。
【０１１２】
また、電波時計を用いた実施形態では電波時計の時刻に基づいて内臓時計の時刻を修正し、この時刻を用いることも可能である。
【０１１３】
また、放送局が文字認識を行って文字認識ＤＢを作成し、これを通信回線等で配信することも可能である。
【図面の簡単な説明】
【０１１４】
【図１】実施形態の基本構成を示すブロック図。
【図２】実施形態１の機能ブロック図。
【図３】実施形態１の処理フロー図。
【図４】実施形態２の機能ブロック図。
【図５】実施形態３の機能ブロック図。
【図６】実施形態４の機能ブロック図。
【図７】実施形態５の機能ブロック図。
【図８】実施形態６の機能ブロック図。
【図９】実施形態７の機能ブロック図。
【図１０】実施形態８の機能ブロック図。
【符号の説明】
【０１１５】
１１、２１、４１、６１、８１、１０１、１２１、１４１、１４２、１６０…放送局
１２、２２、４２、６３、８９、１０３、１２３、１４３、１６１、１６、２９、４９、７０、９０、１０９、１３２、１４７、１７０、１５０…アンテナ
１３、２３、４３、６４、８２、１０４、１２４、１４４、１６２…映像蓄積再生装置
１４、２７、４５、６８、８４、１０６、１２８、１４５、１６７…ＨＤＤ
１５、２８、４８、６９、８５、１０７、１２９、１４６、１６８…通信回線
１８、３１、５０、７１、８７、１１０、１３１、１４８、１７１、１５１…映像用インデックス作成検索システム
１７、３０、５１、７４、８８、１１１、１３３、１４９、１７２、１５２…文字認識結果ＤＢ
２４、４４、６７、８３、１０５、１２７、１６４…蓄積済み番組ＤＢ
２５、５３、１６５…インデックス情報比較手段
２６、５４、１６６…マスク処理後のデータ領域
３３、４６、１６９…検索要求情報
３２、５２、１７３…検索結果データ
４７…蓄積済み番組ＤＢ情報
５５…マスク処理後のデータ
６２、１０２、１２２…電波送信所
６６、７３、１１２、１２６…電波時計
６５、７２、１１３、１２５…標準電波
８６、１０８、１３０…標準時間提供サーバ
１６３…ＥＰＧ録画手段
【図１】
2006340136.tif 000003
【図２】
2006340136.tif 000004
【図３】
2006340136.tif 000005
【図４】
2006340136.tif 000006
【図５】
2006340136.tif 000007
【図６】
2006340136.tif 000008
【図７】
2006340136.tif 000009
【図８】
2006340136.tif 000010
【図９】
2006340136.tif 000011
【図１０】
2006340136.tif 000012